(57)【要約】ビードリング結束糸巻付け装置は、ワイヤ（Ｗ）を複数回巻回して構成されたビードリング（Ｂ）をビードリング（Ｂ）の周方向に送る送りローラ（１１）と、結束糸（Ｓ）の始端部（Ｓａ）を把持するための把持部材（１７）と、結束糸（Ｓ）を捕捉した状態でビードリング（Ｂ）の内側及び外側を通って回転する回転部材（１３）とを備える。ビードリング結束糸巻付け装置は、ビードリング（Ｂ）を周方向に送りながら回転部材（１３）をビードリング（Ｂ）の内側及び外側を通って回転させることにより、結束糸（Ｓ）をビードリング（Ｂ）に螺旋状に巻付けるようにする。把持部材（１７）は、回転部材（１３）よりもビードリング（Ｂ）の送り方向（Ｄ）の上流側に配置されている。
2013190667.tif 000002
【特許請求の範囲】
【請求項１】
ワイヤを複数回巻回して構成されたビードリングをビードリングの周方向に送るリング移動部材と、結束糸の端部を把持するための把持部材と、結束糸を捕捉した状態でビードリングの内側及び外側を通って回転する回転部材とを備え、ビードリングを周方向に送りながら回転部材をビードリングの内側及び外側を通って回転させることにより、結束糸をビードリングに螺旋状に巻付けるためのビードリング結束糸巻付け装置において、
前記把持部材が前記回転部材よりもビードリングの送り方向の上流側に配置されていることを特徴とするビードリング結束糸巻付け装置。
【請求項２】
前記回転部材には、外周において結束糸を捕捉する捕捉部材が設けられており、前記把持部材が捕捉部材よりもビードリングの送り方向の上流側に配置されていることを特徴とする請求項１に記載のビードリング結束糸巻付け装置。
【請求項３】
前記把持部材と捕捉部材との間には、結束糸を捕捉部材に向かって案内するための案内部材が設けられていることを特徴とする請求項２に記載のビードリング結束糸巻付け装置。
【発明の詳細な説明】
【技術分野】
【０００１】
この発明は、ワイヤを複数回巻回してビードリングを製造する際、ワイヤの巻始め端部及び巻終り端部を結束するために、ビードリングに結束糸を巻付けるビードリング結束糸巻付け装置に関するものである。
【背景技術】
【０００２】
従来、この種のビードリング結束糸巻付け装置としては、例えば特許文献１に開示されるような構成が提案されている。この従来構成のビードリング結束糸巻付け装置は、ワイヤの巻回により構成された環状のビードリングを周方向に送るための送りローラと、ビードリングの内側及び外側を通って回転する回転体とを備えている。回転体上には結束糸を誘導するための案内ローラが設けられている。回転体の側方には結束糸の始端部を解放可能に保持するための保持部が設けられている。保持部は、回転体の回転中心付近の位置に接近離間可能である。【０００３】
そして、結束糸の始端部を保持した保持部を回転体の回転中心付近の位置に接近して配置させた状態で、回転体を回転させるとともに、ビードリングを送りローラにより周方向に送る。これにより、結束糸が回転体上の案内ローラにより案内誘導されてビードリングに螺旋状に巻付けられ、ワイヤの巻始め端部及び巻終り端部が巻戻らないように結束される。【０００４】
ところが、この従来のビードリング結束糸巻付け装置においては、単に結束糸がビードリングに螺旋状に巻付けられるのみであり、結束糸の端部の処理は施されない。このため、結束糸の巻付けが端部側から解けて、ビードリングにおけるワイヤの巻始め端部及び巻終り端部の位置ずれや跳ね上がりが生じ易くなるという問題があった。【０００５】
このような問題に対処するため、例えば特許文献２に開示されるようなビードリングも従来から提案されている。この従来のビードリングにおいては、ワイヤの巻始め端部及び巻終り端部を含んだ部分に結束糸が螺旋状に巻付けられている。そして、この結束糸の端部が、結束糸の螺旋状の巻付け部とビードリングとの間に挟み込まれている。これにより、結束糸の巻付けが端部側から解けるのを抑制している。【０００６】
しかしながら、この特許文献２においては、結束糸の端部を結束糸の巻付け部とビードリングとの間に挟み込むための方法及び装置については開示されていない。
【先行技術文献】
【特許文献】
【０００７】
【特許文献１】特開２０００−３５５０５６号公報
【特許文献２】特許第４２３５０３２号公報
【発明の概要】
【発明が解決しようとする課題】
【０００８】
この発明は、このような従来の技術に存在する問題点に着目してなされたものである。その目的は、簡単な構成によって、結束糸の端部を結束糸の巻付け部とビードリングとの間に挟み込みながら、ビードリングに結束糸を螺旋状に巻付けることができるビードリング結束糸巻付け装置を提供することにある。
【課題を解決するための手段】
【０００９】
上記の目的を達成するために、この発明の一態様では、ワイヤを複数回巻回して構成されたビードリングをビードリングの周方向に送るリング移動部材と、結束糸の端部を把持するための把持部材と、結束糸を捕捉した状態でビードリングの内側及び外側を通って回転する回転部材とを備え、ビードリングを周方向に送りながら回転部材をビードリングの内側及び外側を通って回転させることにより、結束糸をビードリングに螺旋状に巻付けるためのビードリング結束糸巻付け装置を提供する。把持部材は回転部材よりもビードリングの送り方向の上流側に配置されている。【００１０】
この発明のビードリング結束糸巻付け装置においては、把持部材により結束糸の端部が把持された状態で、リング移動部材によりビードリングを周方向に送りながら、結束糸を捕捉した回転部材がビードリングの内側及び外側を通って回転される。これにより、ビードリングにおけるワイヤの巻始め端部及び巻終り端部を含んだ部分に結束糸が螺旋状に巻付けられて、ワイヤの巻始め端部及び巻終り端部が巻戻らないように結束される。【００１１】
このとき、把持部材が回転部材よりもビードリングの送り方向の上流側に配置されている、つまり結束糸の端部の把持位置が回転部材による結束糸の巻付け位置よりもビードリングの送り方向の上流側に位置しているため、結束糸がビードリングに複数回巻付けられた状態で結束糸の端部が把持部材から外れることにより、結束糸の端部が結束糸の巻付け部とビードリングとの間に挟み込まれるようにしてビードリングに対する結束糸の巻付けが進むことになる。このように、特別の構成を設けることなく、把持部材と回転部材との位置関係を設定するのみで、結束糸の端部を結束糸の巻付け部とビードリングとの間に挟み込むことができるため、装置の構成を簡略化することができる。【００１２】
前記の構成において、前記回転部材には、外周において結束糸を捕捉する捕捉部材が設けられてもよい。前記把持部材は捕捉部材よりもビードリングの送り方向の上流側に配置されることが好ましい。【００１３】
前記の構成において、前記把持部材と捕捉部材との間には、結束糸を捕捉部材に向かって案内するための案内部材が設けられることが好ましい。
【発明の効果】
【００１４】
以上のように、この発明によれば、簡単な構成によって、結束糸の端部を結束糸の巻付け部とビードリングとの間に挟み込みながら、ビードリングに結束糸を螺旋状に巻付けることができるという効果を発揮する。
【図面の簡単な説明】
【００１５】
【図１】この発明の一実施形態のビードリング結束糸巻付け装置の概要を示す要部正面図。
【図２】（ａ）は図１の結束糸巻付け装置の要部側断面図、（ｂ）は図１の結束糸巻付け装置を用いてビードリングに巻き付けられた結束糸の巻付け状態を示す簡略正面図。
【図３】図１の結束糸巻付け装置における回転部材上の把持部材、案内部材及び捕捉ローラを展開状態で示す要部拡大側断面図。
【図４】ビードリングに結束糸を巻付ける動作を説明するための図１の結束糸巻付け装置の要部正面図。
【図５】ビードリングに結束糸を巻付ける動作を説明するための図１の結束糸巻付け装置の要部正面図。
【発明を実施するための形態】
【００１６】
以下に、この発明を具体化したビードリング結束糸巻付け装置の一実施形態を図１〜図５に従って説明する。
【００１７】
図１及び図２（ａ）に示すように、この実施形態の結束糸巻付け装置においては、環状のビードリングＢを周方向に送るためのリング移動部材としての一対の送りローラ１１が図示しない装置フレームに回転可能に支持されている。
【００１８】
ビードリングＢは、ワイヤＷを列方向及び段方向に整列するように複数回巻回することにより、断面四角形状等の多角形状に構成されている。
【００１９】
一対のクランプローラ１２が装置フレームに回転可能に支持されている。クランプローラ１２は、送りローラ１１に対応して位置しており、送りローラ１１に対して接近離間可能である。ビードリングＢは、送りローラ１１とクランプローラ１２との間にクランプされた状態で、送りローラ１１の回転に従って図２（ａ）の反時計方向（矢印Ｄ方向）に送られる。
【００２０】
図１及び図２（ａ）に示すように、装置フレームには、ビードリングＢに結束糸Ｓを螺旋状に巻付けるための円板状の回転部材１３が、回転部材１３の外周面に摺接する複数の支持ローラ１４を介して、回転可能に支持されている。回転部材１３には、回転部材１３の径方向に延びる挿入溝１３ａが設けられている。挿入溝１３ａにビードリングＢを挿入させることにより、回転部材１３はビードリングＢを跨ぐようにして配置される。回転部材１３の外周には、被動歯車１５が形成されている。装置フレームには、被動歯車１５に噛合する駆動歯車１６が回転可能に支持されている。ビードリングＢを挿入溝１３ａに挿入させて挿入溝１３ａ内に位置する回転部材１３の中心まで配置させた状態で駆動歯車１６を回転させることにより、被動歯車１５を介して回転部材１３がビードリングＢの内側及び外側を通って自身の中心周りを図１の時計方向に回転する。換言すれば、回転部材１３は、ビードリングＢの送り方向Ｄに沿って延びる軸線を中心に回転する。
【００２１】
図１、図２（ａ）及び図３に示すように、装置フレームには、結束糸Ｓの始端部Ｓａを解放可能に把持する一対の把持部材１７が配設されている。把持部材１７は、回転部材１３の回転中心付近でかつ、回転部材１３よりもビードリングＢの送り方向Ｄの上流側の位置に設けられている。把持部材１７により結束糸Ｓの始端部Ｓａが把持された状態で、ビードリングＢに対する結束糸Ｓの巻付けが開始される。そして、結束糸Ｓが複数回巻付けられた後に、図示しないシリンダ等により把持部材１７が開放動作されて、結束糸Ｓの始端部Ｓａが把持部材１７から外れる。
【００２２】
図１及び図３に示すように、回転部材１３の側面には、捕捉部材としての複数の捕捉ローラ１８が回転可能に支持されている。捕捉ローラ１８は、回転部材１３の回転軸線を中心とした同一円周上において所定間隔おきで配置されている。各捕捉ローラ１８の外周面には、結束糸Ｓを捕捉するための捕捉溝１８ａが形成されている。この捕捉溝１８ａによって結束糸Ｓが捕捉される位置は、把持部材１７によって結束糸Ｓの始端部Ｓａが把持される位置よりもビードリングＢの送り方向Ｄの下流側である。
【００２３】
図１及び図３に示すように、回転部材１３の側面には、案内部材１９が配設されている。この案内部材１９には、結束糸Ｓを捕捉ローラ１８による捕捉位置に誘導案内するための傾斜案内面１９ａ及びその傾斜案内面１９ａに続く規制面１９ｂが形成されている。この規制面１９ｂは、ビードリングＢの送り方向Ｄに関して捕捉ローラ１８上の捕捉溝１８ａと同一位置にある。結束糸Ｓの始端部Ｓａが把持部材１７により把持された状態で回転部材１３が回転されると、図３に示すように、結束糸Ｓが案内部材１９の傾斜案内面１９ａに沿って回転部材１３に向かって接近移動された後、規制面１９ｂにより移動規制されて、捕捉ローラ１８による捕捉位置に導かれる。
【００２４】
次に、前記のように構成されたビードリング結束糸巻付け装置の作用を説明する。
【００２５】
このビードリング結束糸巻付け装置を用いてビードリングＢに結束糸Ｓを巻付ける際には、図示しない供給源から結束糸Ｓが結束糸巻付け装置に供給される。図４に示すように、その結束糸Ｓの始端部Ｓａは、一対の把持部材１７により把持される。続いて、回転部材１３の挿入溝１３ａ内にビードリングＢを挿入する。そして、図２に示すように、ビードリングＢにおけるワイヤＷの巻始め端部Ｗａ及び巻終り端部Ｗｂを含んだ部分の両側を送りローラ１１とクランプローラ１２との間でクランプする。
【００２６】
この状態で、回転部材１３を図４の時計方向に回転させると、図３に示すように、結束糸Ｓが案内部材１９の傾斜案内面１９ａに接触して傾斜案内面１９ａに沿って回転部材１３に向かって接近移動される。そして、結束糸Ｓが案内部材１９の規制面１９ｂと接触して規制面１９ｂにより移動規制されることにより、結束糸Ｓは捕捉ローラ１８による捕捉位置に導かれる。
【００２７】
回転部材１３の回転と同時に送りローラ１１を回転させることにより、ビードリングＢが図２の反時計方向に送られて、図５に示すように、ビードリングＢに対する結束糸Ｓの巻付けが開始される。回転部材１３が例えば２〜４回転されると、図１に示すように、図示しないシリンダ等により把持部材１７が開放動作されて、結束糸Ｓの始端部Ｓａが把持部材１７から外れる。このとき、図２（ａ）及び図２（ｂ）に示すように、把持部材１７が回転部材１３よりもビードリングＢの送り方向Ｄの上流側に配置されているため、把持部材１７から外れた結束糸Ｓの始端部ＳａはビードリングＢ側に引っ張られ、ビードリングＢの送り移動に伴って結束糸Ｓの巻付け部内に巻き込まれることになる。
【００２８】
回転部材１３の回転（例えば１０回転）に伴って結束糸Ｓの供給長さが所定値に達した時点で、図示しない切断部材により結束糸Ｓが切断される。その後、回転部材１３がさらに回転されることにより、結束糸Ｓが終端部（切断端部）までビードリングＢに巻付けられる。これにより、ワイヤＷの巻始め端部Ｗａ及び巻終り端部Ｗｂが巻戻らないように結束される。続いて、回転部材１３の回転が停止され、ビードリングＢの送移動も停止される。また、送りローラ１１とクランプローラ１２によるビードリングＢのクランプが解除される。これによって、結束糸Ｓの巻付け動作が終了する。なお、結束糸Ｓの終端部は、回転部材１３の回転にともなう張力によりビードリングＢの外周面に押圧されるため、結束糸Ｓの巻付け部内への巻き込みは不要である。
【００２９】
従って、この実施形態によれば、以下のような効果を得ることができる。
【００３０】
（１）  このビードリング結束糸巻付け装置においては、結束糸Ｓの始端部Ｓａを把持するための把持部材１７が、結束糸Ｓを捕捉した状態でビードリングＢの内側及び外側を通って回転する回転部材１３よりもビードリングＢの送り方向Ｄの上流側に配置されている。そして、この結束糸巻付け装置の運転時には、把持部材１７により結束糸Ｓの始端部Ｓａが把持された状態で、ビードリングＢを周方向に送りながら、結束糸Ｓを捕捉した回転部材１３がビードリングＢの内側及び外側を通って回転される。これにより、ビードリングＢにおけるワイヤＷの巻始め端部Ｗａ及び巻終り端部Ｗｂを含んだ部分に結束糸Ｓが螺旋状に巻付けられて、ワイヤＷの巻始め端部Ｗａ及び巻終り端部Ｗｂが巻戻らないように結束される。
【００３１】
このとき、結束糸Ｓの始端部Ｓａの把持位置が回転部材１３による結束糸Ｓの巻付け位置よりもビードリングＢの送り方向Ｄの上流側に位置しているため、結束糸ＳがビードリングＢに複数回巻付けられた状態で結束糸Ｓの始端部Ｓａが把持部材１７から外れることにより、結束糸Ｓの始端部Ｓａが結束糸Ｓの巻付け部とビードリングＢとの間に挟み込まれるようにしてビードリングＢに対する結束糸Ｓの巻付けが進むことになる。
【００３２】
このように、特別の構成を設けことなく、把持部材１７と回転部材１３との位置関係を設定するのみで、結束糸Ｓの始端部Ｓａを結束糸Ｓの巻付け部とビードリングＢとの間に挟み込むことができるため、装置の構成を簡略化することができる。
【００３３】
（２）  このビードリング結束糸巻付け装置においては、回転部材１３上に、結束糸Ｓを捕捉するための複数の捕捉ローラ１８と、結束糸Ｓを捕捉ローラ１８上の捕捉位置に誘導案内するための案内部材１９とが設けられている。このため、捕捉ローラ１８による結束糸Ｓの捕捉位置と把持部材１７による結束糸Ｓの始端部Ｓａの把持位置とがビードリングＢの送り方向Ｄに関して異なっていても、案内部材１９の作用によって結束糸Ｓを捕捉ローラ１８上の捕捉位置に円滑に導くことができる。
【００３４】
（変更例）
なお、この実施形態は、次のように変更して具体化することも可能である。
【００３５】
・  捕捉ローラ１８の個数を３個または５個以上に変更してもよい。
【００３６】
・  案内部材１９に代えて、捕捉ローラ１８による結束糸Ｓの捕捉位置と把持部材１７による結束糸Ｓの始端部Ｓａの把持位置との間のビードリングＢの送り方向Ｄに関する中間位置にガイドローラを設けてもよい。
【００３７】
・  捕捉ローラ１８に代えて、摩擦係数の小さな材質のピンや板材よりなる捕捉部材を設けてもよい。
【符号の説明】
【００３８】
１１…リング移動部材としての送りローラ、１３…回転部材、１７…把持部材、１８…捕捉ローラ、１８ａ…捕捉溝、１９…案内部材、１９ａ…傾斜案内面、１９ｂ…規制面、Ｂ…ビードリング、Ｗ…ワイヤ、Ｗａ…ワイヤの巻始め端部、Ｗｂ…ワイヤの巻終り端部、Ｓ…結束糸、Ｓａ…結束糸の始端部、Ｄ…ビードリングの送り方向。
【図１】
2013190667.tif 000003
【図２】
2013190667.tif 000004
【図３】
2013190667.tif 000005
【図４】
2013190667.tif 000006
【図５】
2013190667.tif 000007
【国際調査報告】
2013190667.tif 000008
2013190667.tif 000009